(57)【要約】【課題】従来の大型パラソルは、傘を開閉する方法で上下式となっており、Ｔ字型で中央に主柱があるため広く使えず、一時的なパラソルの、要・不要時にも必ず全部撤去する必要があり、また大型化にも制限があり不便であった。【解決手段】必要ある時や、一定の風速になれば、安全上、電動による全自動や手動においても、パラソルの傘の部分が水平に移動開閉、それを支える支柱の途中をＬ字型か垂直のＴ字型かを問わず、その支柱の中心部をシャフトによる軸とし、パラソル全体の方向を回転できる構造を特徴とする水平移動開閉式大型パラソルを考案した。その為、前述の課題はほとんど解決する事が可能となった。【選択図】図１
2005188042.tif 000002
【特許請求の範囲】
【請求項１】
必要ある時や、一定の風速になれば、安全上、電動による全自動や手動においても、パラソルの傘の部分が水平に移動開閉、それを支える支柱の途中をＬ字型か垂直のＴ字型かを問わず、その支柱の中心部をシャフトによる軸とし、パラソル全体の方向を回転できる構造を特徴とする水平移動式大型パラソル。
【請求項２】
パラソルを４分割にし、その２枚のパラソルを中心で電動もしくは手動で引き寄せる作りとし、その半円の支えの部分の円の途中まで、主柱より横腕を出し、それを固定台とし、パラソルの水平移動開閉がスムーズに行く構造とした、請求項１に記載する、水平移動式大型パラソル。
【請求項３】
パラソルの傘の骨組の支えの部分で、中心の取付部に丸型のシャフトを通し、その下部にラジアルベアリングを施し、少しの力でもパラソルが開閉しやすい構造を特徴とする、請求項１と２に記載の大型パラソル。
【発明の詳細な説明】
【技術分野】
【０００１】
本発明は、必要ある時や、一定の風速になれば、安全上、電動による全自動や手動においても、パラソルの傘の部分が水平に移動開閉、それを支える支柱の途中をＬ字型か垂直のＴ字型かを問わず、その支柱の中心部をシャフトによる軸とし、パラソル全体の方向を回転できる構造を特徴とする水平移動開閉式大型パラソルに関するものである。
【背景技術】
【０００２】
従来から、パラソルの利用としては、日除け、防雨、またはレストラン等の体裁上の装飾においての利用が主である。その為、小型、大型パラソルは、必要時に設置、不要時に撤去という方法で利用なされている。
【０００３】
それらの小型、大型パラソルの製作方法も従来より傘式の作りで、上下に開閉するものである。
【０００４】
しかし近時は、地球温暖化により年間を通じ、外気温の異常高温となり、毎年７月から９月まで、若年者と高齢者の日射病での被害が出て社会問題化している状況下である。
【０００５】
その為、大運動場とは異なり、狭義の意味の小運動場、休憩場、または仕事場、物置場、駐車場と、超大型パラソルの需要は高くなっている。
【０００６】
加えて、小運動場や、幼稚園、公民館などの広場の利用時に、日除けや防雨が急に必要な場合と、その他晴天時のバレーやソフトボールで大型パラソルが急に不要な場合と、更にパラソルの主柱が中心にある為、その広場を使用時、この主柱がある事で大変困る事や、不要な面もあって、必ずその場よりパラソルを撤去する手間が不便である。
【０００７】
従来の大型パラソルは、すべて傘式の開閉式となっており、１、不要時にすべて閉じて撤去する。２、パラソルの中心に主柱がある。３、傘式上下開閉式の場合、大型パラソルの製作は困難である。等の欠点がある。
【０００８】
この改善策として、今回の発明である水平移動開閉式大型パラソルを提案するものである。
【特許文献１】特許公開２００２ー００４６４４
【特許文献２】特許公開平１１ー２６６９９０
【特許文献３】実用新案公開平０７ー０３４７１３
【特許文献４】登録実用新案第３０７１７３３号
【特許文献５】登録実用新案第３０７１７１４号
【発明の開示】
【発明が解決しようとする課題】
【０００９】
従来品の大型パラソルは、すべて傘と同じく上下に押して開閉する構造となっている。従って、次のような課題があった。
主柱が中心にあって大型パラソルがＴ字型の為、パラソルの直下が鉄柱に支障となり、運動場、作業場、駐車場などの利用上にその場を広く自由に使えない欠点があった。
一定の限度より、大型化が困難である。
大型パラソルを利用中に、パラソル部分のみを閉めた状態ができず、パラソル全部、更には鉄柱を含めて、一時的に収納移動、再設置が手軽に出来ない課題があった。
【課題を解決するための手段】
【００１０】
本発明は、必要ある時や、一定の風速になれば、安全上、電動による全自動や手動においても、パラソルの傘の部分が水平に移動開閉、を主要な特徴とし、一時開閉がしやすくなった。
【００１１】
本発明の大型パラソルを、支える支柱の途中をＬ字型か垂直のＴ字型かを問わず、その支柱の中心部をシャフトによる軸とし、パラソル全体の方向を回転できる構造を発明した。主柱をＬ型とすれば、パラソルの下を広場として使え、物置きや駐車場としても利用可能となった。
【００１２】
加えて、大型パラソルがより大型化ができ、パラソルが一時的に不要な時、まず第一にパラソルのみを閉める。それでも不要や、移動させたい場合、大型パラソル全体を１８０°回転させる事で、全体を撤去する事なく、急な晴天及び雨の時にも手軽に利用可能となった。
【発明を実施するための最良の形態】
【００１３】
従来の大型パラソルの全体形を損なわず、設置、使用しやすい製品が実現できる。
【実施例１】
【００１４】
図１は、本発明装置の一実施例の正面図である。傘は１を現わし、上の主柱３、巻き上げ機２は、傘のパラソル自体を上下できる。主柱中心シャフトのボルト４で回転でき、回転させる時に手やカギ手を当てる所が７、５は下の主柱（固定分）で、６は電気制御コントローラーBOXを現わし、９は回転を支持するローラーである。
【００１５】
図２は左側面図、図３は右側面図、図４は背面図、図５は平面図である。１〜９は１図と同様である。
【００１６】
図６は底面図で、８は回転横支柱で、５は固定主柱を現わす。１２は両輪モーターで、１３は滑車、１４は支えリブで、１５はワイヤー固定金具、１６は巻ワイヤーで、１７は１６とは逆で送りワイヤーである。
【００１７】
図７は図１の断面図である。この図７の１０は移動するパラソルの傘の部分の１つで鉄骨部を示し、１９は１０の骨組（アーチ）のパラソルの傘全体部分を上下する総重量をコントロールするバランスウエイトである。これで、パラソル全体の重量が軽くなり、２０のワイヤー巻き上げ機は、力を大幅に軽くする利点がある。１８はパラソルを３６０°回転できるシャフトである。２１は地下埋設から入力する電力送電ケーブルである。４と６は、図１と同様である。
【実施例２】
【００１８】
図８は請求項２に当たる所で、パラソル全体を底面から見た図である。１０はパラソルの骨組で、１１と同じであるが、１１は固定となる為、移動はしない。Ａー１、Ａー２は主柱から横腕を出し、溶接で鋼材を出し固定台とし、パラソルの４分割で、滑車の取付けを行い、ワイヤーが引いたり押したりする役目をする。１２はパラソルが開く定位置の長さであり、張りワイヤーで固定する。１２、１３、１６、１７は図６と同じである。
【００１９】
図９はパラソルの骨組で、１２のモーターにより、ワイヤーが引かれ、４分割のパラソルが閉じた状態を示す。１１の骨組は、中心を２３のナット２ヶで固定し、これに１２のモーターが取り付けられ、このモーターが正回転、逆回転する事で、１３の滑車を通じ、１０の左右への移動により、パラソルのテントが開閉する構造である。
１０の移動骨組の主柱からの取付部は、ボルトナットが１ヶとなっている。
【実施例３】
【００２０】
図１０が請求項３の部分で、主柱３の固定部と移動する１０のパラソル骨組の連結は、２４のシャフトで固定され、また２５のラジアルベアリングを使用する事で、より左右への開閉移動をしやすい構造とした。２６はワイヤー止め部分。
【００２１】
図１１はモーター２８の図である。このモーターは、軸が中心にあり、両サイドの軸にワイヤー１６、１７が装着できる作りを採用した。１６のワイヤーを下巻とし、１７のワイヤーを上巻とし、更にワイヤーの巻軸２７に溝を施し、ワイヤーが平均して巻ける作りとし、一方向のモーターの回転で、ワイヤーの巻と送りを同時に行う事が可能で、図１０の施工により、モーターも小型の低価格で省エネタイプを使用できる利点がある。
【産業上の利用可能性】
【００２２】
今回の水平移動開閉式大型パラソルの発明により、パラソルの横幅が、１０〜１２mと製作でき、風速にも不安なく、不必要時の回転収納がしやすく、超大型パラソルの常設、取付が可能となる。
幼稚園、老人ホーム、ゲートボール場、公民館などの小運動場、小広場の常設パラソル利用が考えられ、また産業上は、商品の一時置き場、駐車場、レストラン、ビアホール、ゴルフ場での用途がある。更に、４本支柱式の４面テントとは異なるアーチ型の大型パラソルは、デザイン上の良さもあり、カラーをパラソルに利用する事により、イベント場や、人の集まる屋外レストラン、サービス施設では、広告アピール効果もプラスされる利点もある。
【図面の簡単な説明】
【００２３】
【図１】正面図
【図２】左側図
【図３】右側図
【図４】背面図
【図５】平面図
【図６】底面図
【図７】断面図
【図８】底面図
【図９】パラソルの４分割の方法の説明用図である。（実施例２）
【図１０】パラソルのアーチ骨組の移動開閉しやすい方法を説明した図である。（実施例３）
【図１１】モーターの中心部が回転する両軸回転式モーターの説明用の図である。
【符号の説明】
【００２４】
１.傘(アーチテント面)
２.巻き上げ機
３.主柱(上)(支える主な鉄柱)
４.ボルト
５. 主柱(下)
６.電気コントローラーBOX
７.つり金具(手カギ用)
８.回転横主柱
９.回転支持ローラー
１０.傘の骨組(移動するアーチ)
１１.傘の骨組(固定アーチ)
１２.両輪モーター(両軸ともいう)
１３.滑車
１４.支えリブ
１５.ワイヤー固定金具
１６.巻ワイヤー
１７.送りワイヤー
１８.主シャフト
１９.バランスウエイト
２０.ワイヤー巻き上げ機
２１.ケーブル
Ａー１,Ａー２.横腕(固定台)
２２.張りワイヤー
２３.ナット
２４.シャフト(小)
２５.ラジアルベアリング
２６.ワイヤー止め
２７.溝
２８.モーター(両軸用)
【図１】
2005188042.tif 000003
【図２】
2005188042.tif 000004
【図３】
2005188042.tif 000005
【図４】
2005188042.tif 000006
【図５】
2005188042.tif 000007
【図６】
2005188042.tif 000008
【図７】
2005188042.tif 000009
【図８】
2005188042.tif 000010
【図９】
2005188042.tif 000011
【図１０】
2005188042.tif 000012
【図１１】
2005188042.tif 000013